(57)【特許請求の範囲】
【請求項１】
親局と複数の子局との間でバーストデータによる双方向伝送を行うバーストデータ受信方式において、先頭のトレーニングビット中にＲＺ符号が配置されたバーストデータを１／２分周して１／２分周信号を生成する１／２分周手段と、前記１／２分周信号からトグルパタンをユニークパタンとして検出してパタン検出信号を出力するパタン検出手段と、前記パタン検出信号をトリガに前記バーストデータ中から複数の子局の識別子となるＩＤパタンを検出してＩＤパタン検出結果信号を出力するＩＤパタン検出手段と、装置内クロックを生成するクロック源と、前記バーストデータのビット位相に追従するように前記装置内クロックから適切なクロックを生成する位相同期制御手段と、各子局に割当てられた通信容量を示す通信容量情報を外部から受信して蓄積する通信容量情報手段と、前記通信容量情報に基づいて前記ＩＤパタン検出結果信号をトリガに受信してバーストデータを終端するためのタイミングパルスを出力する受信カウンタと、前記タイミングパルスと前記ＩＤパタン検出結果信号に基づいて前記バーストデータを終端する終端手段と、１伝送路フレーム周期を管理して下りバーストデータ送信タイミング及び上りバーストデータ受信タイミングを管理するフレームカウンタと、前記フレームカウンタからの指示に基づいて下りバーストデータを送信する送信手段とを備えることを特徴としたバーストデータ受信方式。
【発明の詳細な説明】
【０００１】
【発明の属する技術分野】
本発明は，バーストデータ受信方式に関する。
【０００２】
【従来の技術】
図３は、従来のバーストデータ受信方式のシステム概要と伝送フレームの構成を示すブロック図である。従来のバーストデータ受信方式では、図３に示されるように、１つの親局３０と複数の子局３１−１〜ｎとがスターカプラ３２を介して接続され、親局３０と複数の子局３１−１〜ｎとの間で双方向伝送が行われている。
【０００３】
伝送路上のバーストフレームは、図３に示すように、１伝送フレーム周期の前半の約１／３の区間に親局３０から複数の子局３１−１〜ｎへの下りバーストデータがあり、伝送フレーム周期の後半の約１／３の区間に複数の子局３１−１〜ｎからの上りバーストデータがパッシブ多重されている。
【０００４】
図４は、上りバーストデータの構成を示すブロック図である。上りバーストデータにおいては親局側でバーストフレームの終端、及びバーストフレーム各々の先頭の識別を行うために、図４に示すように、各々の上りバーストデータ先頭には、トレーニングビット並びに同期パタンが配置されている。トレーニングビットは、親局側で光バーストデータを受信する際にＡＴＣを最適値に立ち上げのほか、受信されるデータビット列に位相が合うように親局側装置内クロックを制御するディジタルＰＬＬ（以下、「Ｄ−ＰＬＬ」とする）のクロック位相引き込みに使用される。同期パタンには、バーストの先頭を示すためにユニークパタンが挿入されていて、親局側では本同期パタンを検出することで以降のデータの主信号を処理することができる。
【０００５】
図５は、親局における従来のバーストデータ受信方式の構成を示すブロック図である。従来のバーストデータ受信方式は、図５に示すように、受信バーストデータから第１の同期パタン検出パルスを検出する同期パタン検出部１と、ウィンドウパルスにしたがって第１の同期パタン検出パルスから第２の同期パタン検出パルスを検出するウィンドウ制御部２と、装置内クロックを送出する装置内クロック源３と、受信バーストデータの位相に応じて装置内クロックを位相制御して最適なクロックを生成するＤ−ＰＬＬ部４と、受信バーストデータを終端する終端部５と、Ｄ−ＰＬＬ部４が出力したクロックから終端部５を駆動するためのタイミングパルスを生成する受信カウンタ６と、１伝送路フレーム周期を管理して下りバーストデータ送信タイミング、上りバーストデータ受信タイミングを管理するフレームカウンタ７と、各子局に対する通信容量情報を有する通信容量情報部８と、各子局毎の受信位相期待値を有する受信位相情報部９と、フレームカウンタ７からの指示に基づいて下りバーストデータを送信する送信部１０とを備える。
【０００６】
次に図５に示す従来のバーストデータ受信方式の動作について、図６のタイムチャートを参照しながら説明する。親局に入力された受信バーストデータａはＤ−ＰＬＬ部４と同期パタン検出部１に入力される。Ｄ−ＰＬＬ部４は、受信バーストデータａの位相に応じて、装置内クロック源３から出力された装置内クロックを位相制御して最適なクロックｅを生成し、同期パタン検出部１と受信カウンタ６に出力する。また、同期パタン検出部１は、受信バーストデータａから第１の同期パタン検出パルスｂ１を検出し、ウィンドウ制御部２へ送出する。
【０００７】
フレームカウンタ７は、１伝送路フレーム周期を管理し、下りバーストデータ送信タイミング、上りバーストデータ受信タイミングを管理しており、下りバーストデータ領域では、通信容量情報部８からの各子局に対する通信容量情報を参照し、割当てられた通信容量毎に各子局への主信号を時分割多重すべく送信部１０を制御する。また、上りバーストデータ領域では受信位相情報部９からの各子局毎の受信位相期待値を参照し、ウィンドウ制御部２へウィンドウパルスｄを出力する。同期パタン検出部１から出力される第１の同期パタン検出パルスｂ１は、本来のバーストデータの先頭に配置されている同期パタンの検出結果と共に、主信号中に偶然に含まれる同期パタンと同じパタンによる検出結果が含まれている。したがって、フレームカウンタ７は子局毎の上りバーストデータ受信期待位相情報を取得し、この受信位相期待情報から正規の同期パタン（らしいところ）をねらってウィンドウパルスｄを生成する。
【０００８】
ウィンドウ制御部２は、同期パタン検出部１から出力される第１の同期パタン検出パルスｂ１のうち、フレームカウンタ７からのウィンドウパルスｄが有意状態のときのみ同期パタンを検出することで不要な同期パタンをマスクし、第２の同期パタン検出パルスｂ２として、受信カウンタ６、終端部５へ送出する。
【０００９】
受信カウンタ６は、ウィンドウ制御部２から出力された第２の同期パタン検出パルスｂ２とＤ−ＰＬＬ部４から出力されたクロックｅを入力し、タイミングパルスｃを生成して終端部５を駆動する。
【００１０】
終端部５は、第２の同期パタン検出パルスｂ２とタイミングパルスｃとによって受信バーストデータａを終端する。
【００１１】
【発明が解決しようとする課題】
上述した従来のバーストデータ受信方式では、子局の数だけ受信位相情報部９が必要であることや、この受信異常情報を参照しながらウィンドウパルスｄを生成するフレームカウンタ７の処理の複雑さ、更には受信位相情報部９を設定するためのパラメータ設定信号ｇの処理を行うことなどが要因となり、回路規模が大きくなってしまうという問題点があった。
【００１２】
本発明は上記問題に鑑みてなされたものであって、本発明は、受信位相情報がなくても主信号伝送効率を低下させることなく、各子局からのバーストデータを受信するとともに、回路規模の削減が可能なバーストデータ受信方式を提供することを目的とする。
【００１４】
【課題を解決するための手段】
請求項１記載の発明は、親局と複数の子局との間でバーストデータによる双方向伝送を行うバーストデータ受信方式において、先頭のトレーニングビット中にＲＺ符号が配置されたバーストデータを１／２分周して１／２分周信号を生成する１／２分周手段と、前記１／２分周信号からトグルパタンをユニークパタンとして検出してパタン検出信号を出力するパタン検出手段と、前記パタン検出信号をトリガに前記バーストデータ中から複数の子局の識別子となるＩＤパタンを検出してＩＤパタン検出結果信号を出力するＩＤパタン検出手段と、装置内クロックを生成するクロック源と、前記バーストデータのビット位相に追従するように前記装置内クロックから適切なクロックを生成する位相同期制御手段と、各子局に割当てられた通信容量を示す通信容量情報を外部から受信して蓄積する通信容量情報手段と、前記通信容量情報に基づいて前記ＩＤパタン検出結果信号をトリガに受信してバーストデータを終端するためのタイミングパルスを出力する受信カウンタと、前記タイミングパルスと前記ＩＤパタン検出結果信号に基づいて前記バーストデータを終端する終端手段と、１伝送路フレーム周期を管理して下りバーストデータ送信タイミング及び上りバーストデータ受信タイミングを管理するフレームカウンタと、前記フレームカウンタからの指示に基づいて下りバーストデータを送信する送信手段とを備えることを特徴とする。
【００１５】
【発明の実施の形態】
次に本発明の実施形態について図面を参照して詳細に説明する。図１は本発明のバーストデータ受信方式にかかわる実施形態の構成を示すブロック図である。本実施形態によるバーストデータ受信方式は，先頭のトレーニングビットの途中にＲＺ符号が配置されたバーストデータａを１／２分周して１／２分周信号ｈを生成する１／２分周部１１と、１／２分周信号ｈからトグルパタンをユニークパタンとして検出してユニークパタン検出信号ｉを出力するパタン検出部１２と、ユニークパタン検出信号ｉをトリガにバーストデータａの中から複数の子局の識別子となるＩＤパタンを検出してＩＤパタン検出結果信号ｋを出力するＩＤパタン検出部１３と、装置内クロックを生成する装置内クロック源３と、バーストデータａの入力によってバーストデータａのビット位相に追従するように装置内クロックから適切なクロックｅを生成するＤ−ＰＬＬ（ディジタルＰＬＬ）部４と、パラメータ設定信号ｇを入力して各子局毎に割当てられた通信容量情報を蓄積する通信容量情報部８と、通信容量情報部８の通信容量情報に基づいてＩＤパタン検出結果信号ｋをトリガに受信したバーストデータを終端するためのタイミングパルスｃを出力する受信カウンタ６と、受信カウンタ６からのタイミングパルスｃとＩＤパタン検出部１３からのＩＤパタン検出結果信号ｋに基づいてバーストデータａを終端する終端部５と、１伝送フレーム周期を管理し、下りバーストデータ送信タイミング、上りバーストデータ受信タイミングを管理しているフレームカウンタ７と、フレームカウンタ７からの指示に基づいて下りバーストデータを送信する送信部１０とからなる。
【００１６】
次に、本実施形態の動作について図面を参照して詳細に説明する。図２は、本実施形態の動作を示すタイムチャート図である。図２に示す様に、上りバーストデータの先頭にはトレーニングビットの途中にＲＺ符号（ビット幅の５０％のところで”Ｈ”→”Ｌ”になるビット）を配置し、従来技術における同期パタンの替わりに子局のＩＤをアサインしている。図１においては入力されるバーストデータａは１／２分周部１１で１／２分周され、パタン検出部１２に入力される。
【００１７】
１／２分周信号ｈは、図２のｈに示す様にＲＺ符号の領域のみビット単位でトグルするパタンとなり、ＲＺ符号以外の領域では現れないのでバーストの先頭を識別するためのユニークパタンと成り得る。図２では、例としてユニークパタン検出条件としてＸ：Ｄｏｎ’ｔ  Ｃａｒｅ、Ｔ：前ビットからのトグル、Ｎ：前ビットと同一値、を意味し、”ＴＴＴＮ”のパタンをユニークパタンとしている。パタン検出部１２では１／２分周信号ｈから前述のユニークパタンを検出し、ユニークパタン検出信号ｉをＩＤパタン検出部１３に出力する。
【００１８】
ＩＤパタン検出部１３では、ユニークパタン検出信号ｉをトリガにバーストデータａからＩＤパタンを検出し、ＩＤパタン検出結果信号ｋを終端部５、受信カウンタ６に出力する。
【００１９】
以上、説明したように本実施形態では、トレーニングビット中にＲＺ符号を配置し、そのＲＺ符号を１／２分周して得られるビット列を検出してバーストの先頭を識別しているので、予め上りバーストデータ受信位相情報が無くても繰り返し入力されるバーストデータａのデータ列の中からバーストの先頭、子局ＩＤを抽出しデータを終端することができる。
【００２０】
【発明の効果】
以上説明した様に、本発明では、受信位相情報がなくても、主信号伝送効率を低下させることなく、各子局からバーストデータを受信することができ、また、回路規模を削減することができる。
【図面の簡単な説明】
【図１】  本発明のバーストデータ受信方式にかかわる実施形態の構成を示すブロック図である。
【図２】  本実施形態の動作を示すタイムチャート図である。
【図３】  従来のバーストデータ受信方式のシステム概要と伝送フレームの構成を示すブロック図である。
【図４】  従来の上りバーストデータの構成を示す説明図である。
【図５】  従来のバーストデータ受信方式の構成を示すブロック図である。
【図６】  従来のバーストデータ受信方式の動作を示すタイムチャート図である。
【符号の説明】
１    同期パタン検出部
２    ウィンドウ制御部
３    装置内クロック源
４    ディジタルＰＬＬ部
５    終端部
６    受信カウンタ
７    フレームカウンタ
８    通信容量情報部
９    受信位相情報部
１０    送信部
１１    １／２分周部
１２    ユニークパタン検出部
１３    ＩＤパタン検出部
３０    親局
３１−１〜ｎ    子局
３２    スターカプラ
ａ    受信バーストデータ
ｂ１    第１の同期パタン検出パルス
ｂ２    第２の同期パタン検出パルス
ｃ    タイミングパルス
ｄ    ウィンドウパルス
ｅ    装置内クロック
ｇ    パタメータ設定信号
ｈ    １／２分周信号
ｉ    ユニークパタン検出信号
ｋ    ＩＤパタン検出結果信号
【図１】
0003926160.tif 000002
【図２】
0003926160.tif 000003
【図３】
0003926160.tif 000004
【図４】
0003926160.tif 000005
【図５】
0003926160.tif 000006
【図６】
0003926160.tif 000007